(57)【要約】【課題】  浴室に設置されるイスを工夫することで、浴室で複数のイスを利用する場合に使用者が利用するシャワーの使い勝手を向上させることが可能となる。【解決手段】  本発明にかかる浴室１０設置される複数のイス２４０と、シャワー２３６と、を備え、複数のイス２４０の構成は、浴槽１４０と、浴槽１４０に併設される洗い場１３０と、洗い場１３０に０のうち１または複数に、シャワー２３６を構成する軸部を略垂直方向に回動自在に固定可能なシャワーフック２４２を有することを特徴としている。【選択図】  図２
2010110456.tif 000002
【特許請求の範囲】
【請求項１】
浴槽と、
前記浴槽に併設される洗い場と、
前記洗い場に設置される複数のイスと、
シャワーと、
を備え、
前記複数のイスのうち１または複数に、前記シャワーを構成する軸部を略垂直方向に回動自在に固定可能なシャワーフックを有することを特徴とする浴室。
【請求項２】
前記複数のイスは大きいイスと小さいイスの２つで構成されており、前記大きいイスが前記小さいイスを収納する入れ子構造を有することを特徴とする請求項１に記載の浴室。
【請求項３】
前記大きいイスは側面に前記小さいイスを挿入しうる開口部を備え、
前記小さいイスを前記開口部から前記大きいイスの内部に収容可能であることを特徴とする請求項２に記載の浴室。
【請求項４】
前記シャワーフックは、前記大きいイスまたは小さいイスの側面の座面近傍に設置されていることを特徴とする請求項２または３に記載の浴室。
【請求項５】
前記大きいイスの略水平断面は略長方形であって、
前記大きいイスに設けられたシャワーフックは、短辺の側面であって座面近傍に設置されていることを特徴とする請求項４に記載の浴室。
【請求項６】
前記大きいイスの上面に、洗面器を位置決め可能な凹部を備えることを特徴とする請求項２〜５のいずれか１項に記載の浴室。
【発明の詳細な説明】
【技術分野】
【０００１】
本発明は、複数のイスを備える浴室に関する。
【背景技術】
【０００２】
従来、住宅用の浴室は、浴室の一方の壁面に沿って浴槽が配置され、残る面積が洗い場となった構成が極めて多く採用されている。設置面積が限られているため、浴室は浴槽と洗い場によって二分されており、いずれも長方形をなしている。浴室への出入口は洗い場に設けられており、ほとんどの場合は洗い場の奥まった壁面に鏡やカラン（水栓）、シャワーが取り付けられている。
【０００３】
また浴室には照明が取り付けられるが、一般に照明は天井ではなく壁面に取り付けられる場合が多い。これは、１つには浴室は座って利用することが多いことから、低い位置において光量を得やすくしたいためである。もう１つには、鏡を見ながら作業をしたいために、真上からの光よりも、斜めからの光の方が利用しやすいからである。同様に、鏡を見ながらの作業がしやすいという理由から、照明は鏡の上方（鏡と同じ壁面）に設けられており、カランは鏡の下方に設けられている。
【０００４】
これらの理由から、長方形をなす洗い場の奥まった壁面（一般的には長方形の短辺に相当する壁面）に、鏡、照明、カラン、カウンタ（洗面器置き場）、シャワー、シャワーフックなどが配置された構成が一般的となっている。
【０００５】
このような浴室は、その面積の関係上、多人数で利用するための充分な面積を確保することは難しい。しかし、親が子どもと入浴する場合や、介護者が要介護者を入浴させる場合等複数人数で上記浴室を利用したいという要請はあり、複数のイスを浴室に設ける技術が開示されている（例えば、特許文献１）。
【０００６】
特許文献１には、浴室の壁に取付け可能な大きい椅子と、当該大きい椅子に収納可能な小さい椅子を備えた浴室が記載されている。特許文献１では、大きい椅子をカウンタとして使用できるので使い勝手が向上するとしている。
【特許文献１】特開２００８−２９４３０号公報
【発明の開示】
【発明が解決しようとする課題】
【０００７】
上述したような従来の浴室に複数のイスを設置して、複数人数で浴室を利用する場合、以下のような問題が生じる。
【０００８】
図８は、２つのイスを配設した従来の浴室を説明するための説明図である。図８に示すように、従来の浴室１０は、浴槽２０と洗い場３０に分割されており、洗い場３０の奥まった壁１２（長方形の短辺に相当する壁）に鏡３２、カラン３４、シャワー３６、照明３８、２つのイス４０（図８中４０ａ、４０ｂで示す）を備えて構成される。図８に示す浴室１０を例えば親子で利用した場合、親がイス４０ａを使用し、子がイス４０ｂを使用することになる。ここで、洗い場３０が細長い長方形であることから、短辺に沿って２人が座ることは難しく、必然的に長辺に沿って並ぶことになる。すると通常は、図８に示すように親は子を洗うためにカラン３４やシャワー３６に近い位置に座わり、子は親の前に座ることになる。親が背中を壁１２に向けることにより、浴室１０全体を見渡せるように視野を広げることができる。また、カラン３４やシャワー３６から子を遠ざけることにより、子によるいたずらのおそれを回避することが可能となる。
【０００９】
ここで例えば、親が子の髪を洗う場合、親は子を洗髪した後、斜め後ろを振り返って壁１２に設けられたシャワーフック４２に掛止されたシャワー３６を把持して、再び子の方に向きなおしてシャワー３６を利用しなければならない。したがって、親等の使用者に煩雑な動作を強いることになっていた。
【００１０】
本発明は、このような課題に鑑み、浴室に設置されるイスを工夫することで、浴室で複数のイスを利用する場合に使用者が利用するシャワーの使い勝手を向上させることが可能な浴室を提供することを目的としている。
【課題を解決するための手段】
【００１１】
上記課題を解決するために、本発明にかかる浴室の代表的な構成は、浴槽と、浴槽に併設される洗い場と、洗い場に設置される複数のイスと、シャワーと、を備え、複数のイスのうち１または複数に、シャワーを構成する軸部を略垂直方向に回動自在に固定可能なシャワーフックを有することを特徴とする。
【００１２】
かかる構成より、シャワーをイスに固定することができる。したがって、使用者は常にシャワーを自身の手元に設置しておくことができ、例えば、浴室を親子で利用する際に、親は、両手で子を洗った後、振り返って自身の背後からシャワーを把持し、再度、子の方に向きなおすといった煩雑な動作を経ることなく、シャワーを利用することが可能となる。
【００１３】
上記複数のイスは大きいイスと小さいイスの２つで構成されており、大きいイスが小さいイスを収納する入れ子構造を有してもよい。これにより、最も大きいイスの設置面積でかかる複数のイスを収納することができる。
【００１４】
大きいイスは側面に小さいイスを挿入しうる開口部を備え、小さいイスを開口部から大きいイスの内部に収容可能であってもよい。これにより、大きいイスを持ち上げることなく、小さいイスを水平方向にスライドさせて収納することができる。
【００１５】
上記シャワーフックは、大きいイスまたは小さいイスの側面の座面近傍に設置されていてもよい。これにより、使用者は常にシャワーを自身の手元に設置しておくことができ、使用者の利便性が向上する。また、当該イスをカウンタとして利用し、かかるイスに洗面器を設置した場合に、使用者がシャワーを把持せずとも直接洗面器に湯水を供給することができ、シャワーにカランの役割を担わせることが可能となる。
【００１６】
上記大きいイスの略水平断面は略長方形であって、大きいイスに設けられたシャワーフックは、短辺の側面であって座面近傍に設置されていてもよい。略長方形であることにより、当該イスをカウンタとして利用する場合に、浴室で利用するシャンプー、リンス、ボディシャンプー等の洗浄剤と、洗面器を横に並べることができ、使い勝手が向上する。また短辺の側面にシャワーフックを備えることにより、当該大きいイスをカウンタとして利用する場合に、使用者の右手側もしくは左手側にシャワーを固定することができるため、使い勝手を向上させることが可能となる。
【００１７】
複数のイスのうち最大のイスの上面に、洗面器を位置決め可能な凹部を備えてもよい。これにより、当該最大のイスをカウンタとして利用する場合に、洗面器を係止して設置することができる。また、当該最大のイスにシャワーを固定できるため、シャワーから直接洗面器に湯水を供給することが可能となる。
【００１８】
当該浴室は、照明をさらに備え、洗い場は、浴槽に沿う辺を長辺とする略長方形であり、照明は洗い場の長辺に相当する壁の上方に備えられ、複数のイスは洗い場の長辺方向に並列に配置可能であってもよい。
【００１９】
上記構成によれば、使用者がイスに座る場合に、どの使用者も自身の側面から照明の光を受けることになる。したがって、使用者が自身の背面で照明の光を遮る場合と比較して、遮光率を低下させることができ、視認性を向上させることが可能となる。
【００２０】
上記照明は、当該照明が設けられた壁の中央よりもシャワーが設けられた壁側に設けられていてもよい。
【００２１】
使用者が鏡を見ながら容易に湯水を使用できるように、シャワーが設置された壁と同一の壁に鏡を備えている場合が多い。したがって、上記照明を当該照明が設けられた壁の中央よりもシャワーが設けられた壁側の位置に配設する構成により、照明をシャワーに近づけるすなわち照明を鏡に近づけることができる。これにより、使用者が鏡を見ながら作業をする場合に、視認性を向上させることが可能となる。
【発明の効果】
【００２２】
本発明によれば、浴室に設置されるイスを工夫することで、浴室で複数のイスを利用する場合に使用者が利用するシャワーの使い勝手を向上させることが可能となる。
【発明を実施するための最良の形態】
【００２３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２４】
図１は、本実施形態にかかる浴室を示す図である。なお、本実施形態においては、近年家庭に最も普及しているユニットバスを浴室１００として例示するがこれに限定するものではない。また、本実施形態では、浴室１００を親子が利用する形態について説明する。
【００２５】
図１に示すように、ユニットバスである浴室１００は、壁（壁面）で区画された空間であり、壁１２０（図１中１２０ａ、１２０ｂで示す）、１２２（図１中１２２ａ、１２２ｂで示す）と、洗い場１３０と、浴槽１４０と、を含んで構成される。なお、壁１２０、１２２以外の壁、および浴室１００外に設けられた脱衣所と通じるドアは、理解を容易にするため図示を省略する。
【００２６】
壁１２０は、浴槽１４０に対向する壁である。壁１２２は、浴槽１４０に隣接し、水栓である後述するカラン２３４を備える壁である。なお、壁１２０および１２２は、各々２つに分割されているように見えるが、これは壁１２０および１２２が、共に２つのパネルから構成されているからである。本実施形態では、２つのパネルから構成される面を１つの壁として説明する。
【００２７】
洗い場１３０は、使用者（本実施形態では親子）が体や髪を洗う際に利用する。本実施形態において、洗い場１３０は、浴槽１４０に沿う辺を長辺とする略長方形である。浴槽１４０は、湯が貯留され、使用者が入浴するための槽である。
【００２８】
また、浴室１００は、鏡２３２と、カラン２３４と、シャワー２３６と、壁付けシャワーフック２３８と、２つのイス２４０（大きいイス２４０ａ、小さいイス２４０ｂで示す）と、照明２４４と、複数のフック２４６と、複数の棚２４８と、を備えて構成される。
【００２９】
鏡２３２は、使用者が自身の姿を視認するための部材である。カラン２３４およびシャワー２３６は、水栓であり、給湯装置（図示せず）から湯水が供給される。本実施形態において、鏡２３２およびカラン２３４は、直接、洗い場１３０の短辺に相当する壁１２２ａに設けられている。シャワー２３６は、壁１２２ａに設けられた壁付けシャワーフック２３８に掛止可能に設置されている。
【００３０】
２つのイス２４０は、洗い場１３０に移動可能に設置されている。図２は、本実施形態にかかるイスを説明するための説明図であり、特に図２（ａ）は、シャワーを固定していない状態を、図２（ｂ）はシャワーを固定している状態を示している。図３はシャワーフックの使用態様を説明する図である。
【００３１】
図２に示すように、本実施形態では、大きいイス２４０ａおよび小さいイス２４０ｂの側面の座面近傍にシャワー２３６を構成する軸部(シャワーヘッド)を略垂直方向に回動自在に固定可能なシャワーフック２４２（図２中２４２ａ、２４２ｂで示す）を備えている。これにより、シャワー２３６をイス２４０に固定することができる（図２（ｂ）参照）。したがって、使用者は常にシャワー２３６を自身の手元に設置しておくことができ、例えば、浴室１００を親子で利用する際に、親は、両手で子を洗った後、振り返って自身の背後に設置された壁付けシャワーフック２３８に掛止されたシャワー２３６を把持し、再度、子の方に向きなおすといった煩雑な動作を経ることなく、シャワー２３６を利用することが可能となる。
【００３２】
またイス２４０の側面の座面近傍にシャワーフック２４２を備える構成により、当該イス２４０をカウンタとして利用することができる。したがって図３（ａ）に示すように、イス２４０に洗面器を設置した場合に、使用者がシャワー２３６を把持せずとも直接洗面器に湯水を供給することができ、シャワー２３６にカランの役割を担わせることが可能となる。
【００３３】
またシャワーフック２４２ａ、２４２ｂにシャワー２３６を保持させることにより、低い位置でシャワーヘッドを回動可能に保持することができる。これにより、図３（ｂ）に示すように小動物や靴のように小さなものを洗う際に、近い位置（低い位置）から放水することができるため、水が飛散することがなく使い勝手がよい。なお従来のように壁付けシャワーフック２３８しかない場合には、シャワー２３６の保持位置が高いために、シャワー２３６を手で把持して作業する必要があった。また作業のために低い姿勢をとった状態で蛇口をひねった場合には、うっかり湯水をあびてしまうおそれもあった。しかし上記構成によれば、あらかじめシャワー２３６を低い位置に保持することができるため、両手を用いて作業を行うことができ、また湯水をあびるおそれがないため快適に作業を行うことができる。
【００３４】
ここでは、特に２つのイス２４０のうち大きいイス２４０ａの略水平断面は略長方形であって、大きいイス２４０ａに設けられたシャワーフック２４２ａは、短辺の側面であって座面近傍に設置されている。
【００３５】
これにより、大きいイス２４０ａをカウンタとして利用する場合に、使用者の右手側もしくは左手側にシャワー２３６を固定することができるため、使い勝手を向上させることが可能となる。
【００３６】
本実施形態において、大きいイス２４０ａの略水平断面は、略長方形である。これにより、大きいイス２４０ａをカウンタとして利用する場合に、浴室１００で利用するシャンプー、リンス、ボディシャンプー等の洗浄剤と、洗面器を横に並べることができ、使い勝手が向上する。
【００３７】
また、本実施形態では、大きいイス２４０ａの上面に洗面器を位置決め可能な凹部２４０ｃを備えている。これにより、大きいイス２４０ａをカウンタとして利用する場合に、洗面器を係止して設置することができる。また、大きいイス２４０ａにシャワー２３６を固定できるため、シャワー２３６から直接洗面器に湯水を供給することが可能となる。
【００３８】
図４は、本実施形態にかかるイスを説明するための説明図であり、特に図４（ａ）は使用時を、図４（ｂ）は収納時を示している。
【００３９】
図４に示すように、大きいイス２４０ａは小さいイス２４０ｂよりも大きく、大きいイス２４０ａの側面（長辺の側面）には開口部２４０ｄを有し、開口部２４０ｄから小さいイス２４０ｂを収容可能になっている。これにより、大きいイス２４０ａを持ち上げることなく、大きいイス２４０ａの中に小さいイス２４０ｂを水平方向にスライドさせて収納することができる。また、２つのイス２４０は、その１つが他の１の収納する入れ子構造を有していることから、大きいイス２４０ａの設置面積で小さいイス２４０ｂを収納することが可能となる。
【００４０】
照明２４４は、浴室１００内の調光を行う機器である。照明２４４は、浴槽１４０と当接した壁（図示せず）と対向する壁１２０（本実施形態では、洗い場１３０の長辺に相当する壁）の上方であって、当該照明２４４が設けられた壁１２０の中央（図１中Ｘで示す）よりもカラン２３４が設けられた壁１２２ａ側の位置、すなわち壁１２０ｂに設けられている。
【００４１】
図５は、照明による照射範囲を説明するための説明図である。本実施形態のように浴室１００を親子で利用する場合、洗い場１３０が細長い長方形であることから、短辺に沿って２人が座ることは難しく、必然的に長辺に沿って並ぶことになる。すると通常、親は子を洗うためにカラン２３４やシャワー２３６に近い位置に座わり、子は親の前に座ることになる。
【００４２】
図５に示すように、照明２４４が、壁１２０ｂに設けられる構成により、使用者（親子）がイス２４０に座る場合に、どの使用者も自身の側面から照明２４４の光を受けることになる。したがって、使用者が自身の背面で照明２４４の光を遮る場合と比較して、遮光率を低下させることができ、視認性を向上させることが可能となる。すなわち、親は自身の背面で照明２４４の光を遮り、子が見づらくなるのを防止することができる。
【００４３】
また、本実施形態のように使用者が鏡２３２を見ながら容易に湯水を使用できるように、カラン２３４およびシャワー２３６が設置された壁１２２と同一の壁１２２に鏡２３２を備えている場合が多い。したがって、照明２４４を、照明２４４が設けられた壁１２０ｂの中央よりもカラン２３４が設けられた壁１２２側の位置に配設する構成により、照明２４４をカラン２３４およびシャワー２３６に近づけるすなわち照明２４４を鏡２３２に近づけることができる。これにより、使用者が鏡２３２を見ながら作業をする場合に、視認性を向上させることが可能となる。
【００４４】
さらに、照明２４４は鏡２３２の上方に、すなわち鏡２３２は照明２４４の下方に設けられている。これにより、使用者は、鏡に映った自身の姿を明確に視認することができ、作業性を向上させることが可能となる。
【００４５】
フック２４６は、後述するように大径の頭部２５０と小径の軸部２５２を有し、浴室１００内の壁に所定間隔ごとに複数設置される。これにより、所定間隔ごとに複数設置されたフック２４６のうち、使用者が所望する位置のフック２４６の軸部２５２に、所望する部材、例えば棚２４８等を吊り下げ、部材を壁に設置することが可能となる。またフック２４６が頭部２５０を有することで、吊り下げられた部材はフック２４６の頭部２５０により掛止されるため、部材のフック２４６からの脱落を防止することができる。本実施形態において複数のフック２４６は、壁１２０ｂ、１２２ａおよび１２２ｂに設けられている。
【００４６】
以下、フック２４６の詳細について説明する。図６は、フック２４６の詳細を示す図である。図６（ａ）はフック２４６の分解図であり、図６（ｂ）はフック２４６の斜視図であり、図６（ｃ）はフック２４６不使用時の側面図であり、図６（ｄ）はフック２４６使用時の側面図である。
【００４７】
図６（ａ）に示すように、フック２４６は、頭部２５０と、軸部２５２と、螺子２５４と、リング２５６と、ワッシャ２５８との、５つの部材から構成される。フック２４６を壁１２０、１２２に設置する際には、まず軸部２５２とリング２５６とワッシャ２５８を嵌合する。そして、軸部２５２の穴に螺子２５４を装嵌し、ワッシャ２５８を壁１２０、１２２に当接して螺子止めをすることにより、軸部２５２とリング２５６とワッシャ２５８が壁に螺設される。螺設後に、頭部２５０をリング２５６に嵌合することにより、図６（ｂ）に示す状態となり、フック２４６が壁１２０、１２２に設置される。
【００４８】
フック２４６の壁１２０、１２２への設置後、かかるフック２４６は、使用されない場合には図６（ｃ）に示す状態となる。図６（ｃ）に示すように、フック２４６は、軸部２５２およびリング２５６が頭部２５０に収納され、頭部２５０とワッシャ２５８が接した状態となっている。これにより、フック２４６内部はほぼ密閉された状態となるため、フック２４６内部への水等の浸入を防ぐことができる。故に、フック２４６内部でのカビ等細菌類の繁殖を防止し、衛生状態を良好に保つことが可能となる。
【００４９】
また、図６（ｃ）のように不使用時のフック２４６（軸部２５２収納時）は、壁１２０、１２２上に頭部の厚み分だけ突出した状態となる（厳密には、ワッシャ２５８の厚みも含まれる）。故に、フック２４６により壁上には微小な凸部が形成されるが、凹部が形成されることはない。したがって、フック２４６が壁１２０、１２２の清掃を妨げることがなく、且つ浴室１００の美観を損ねることがない。
【００５０】
更に、図６（ｃ）に示すようにフックの頭部２５０が切欠２５０ａを有することで、切欠２５０ａの部分に指を引っ掛け、頭部２５０を白抜き矢印方向に、すなわち壁１２０、１２２から手前に引き出すことができる。このようにして頭部２５０を引き出すと、フック２４６は図６（ｄ）に示す状態となり、軸部２５２が露出する。これにより、フック２４６に部材を吊り下げ可能となる。
【００５１】
そして、例えば部材を吊り下げる場所を変更する等、引き出したフック２４６を使用しなくなる場合には、引き出した頭部２５０を壁１２０、１２２に向かって押し込むことにより、軸部２５２は頭部２５０に収納され、図（ｃ）に示す状態に戻る。なお、本実施形態においては、軸部２５２は頭部２５０に収納されているが、これに限定するものではなく、軸部２５２を壁１２０、１２２内に収納するよう構成してもよい。
【００５２】
したがって、本実施形態にかかるフック２４６によれば、上述したように、フック２４６の頭部２５０を壁１２０、１２２から手前に引き出すという操作でフック２４６を使用することが可能となり、フック２４６の頭部２５０を壁１２０、１２２に向かって押し込むという操作でフック２４６の軸部２５２を頭部２５０に収納可能となる。したがって、いずれにおいても簡単な操作でフック２４６の状態を変更することができる。
【００５３】
図７は、フック２４６の軸部２５２の他の収納例を示す図である。図７（ａ）は、他の収納例におけるフック２４６の不使用時の側面図であり、図７（ｂ）は、他の収納例におけるフック２４６の使用時の側面図である。なお図７中、壁１２０、１２２をハッチングで示す。
【００５４】
本実施形態にかかるフック２４６は軸部２５２がフック２４６の頭部２５０に収納されるが、図７（ａ）に示すように、他の収納例では、壁１２０、１２２に収納部２６０を備え、軸部２５２は収納部２６０に収納されることにより、壁１２０、１２２に収納される。そして、フック２４６使用時には、本実施形態と同様に切欠２５０ａの部分に指を引っ掛け、頭部２５０を白抜き矢印方向に引っ張ることにより、図７（ｂ）に示すように頭部２５０は壁１２０、１２２から手前に引き出され、軸部２５２が露出する。これにより、フック２４６に部材を吊り下げ可能となる。
【００５５】
フック２４６は、壁１２０、１２２の水平方向に複数設置されるとよい。これにより、壁１２０、１２２に吊り下げる部材の位置を水平方向に自在に変更し、使用者が所望する位置に部材を設置することができ、浴室１００での利便性が向上する。また、壁１２０、１２２の水平方向に複数の部材を設置したり、吊り下げに要するフック２４６を水平方向に２つ以上必要とする部材を壁１２０、１２２に設置したりすることが可能となる。
【００５６】
またフック２４６は、壁１２０、１２２の垂直方向に複数設置されるとよい。これにより、壁１２０、１２２に吊り下げる部材の位置を垂直方向に自在に変更し、使用者が所望する位置に部材を設置することができ、浴室１００での利便性が向上する。また、壁１２０、１２２の垂直方向に複数の部材を設置することができ、吊り下げに要するフック２４６を垂直方向に２つ以上必要とする部材を壁１２０、１２２に設置したりすることが可能となる。
【００５７】
更に、上述したようにフック２４６を、壁１２０、１２２の水平方向に複数設置し、且つ垂直方向に複数設置するとよい。これにより、フック２４６は壁１２０、１２２に略碁盤目状に設置されることとなるため、壁１２０、１２２の水平方向且つ垂直方向の所望の位置に部材を設置することが可能となり、利便性が格段に向上する。
【００５８】
フック２４６を備える壁１２０、１２２は、カラン１３０を備える壁１２２ａであるとよい。これにより、カラン２３４を備える壁１２２ａにフック２４６が設置されるため、フック２４６に部材を吊り下げ、その壁１２２ａに部材を設置することができる。
【００５９】
またフック２４６を備える壁１２０、１２２は、浴槽１４０に対向する壁１２０であるとよい。これにより、浴槽１４０に対向する壁１２０にフック２４６が設置されるため、フック２４６に部材を吊り下げ、その壁１２０に部材を設置することができる。
【００６０】
棚２４８は、シャンプーやリンス等の浴室で用いられる物品を収納するための部材である。棚２４８は、壁１２０、１２２に設置されたフック２４６に吊り下げられることにより、かかる壁１２０、１２２に設置される。
【００６１】
以上説明した如く、本実施形態にかかる浴室１００に設置されるイス２４０を工夫することで、浴室１００で複数のイス２４０を利用する場合に使用者が利用するシャワー２３６の使い勝手を向上させることが可能となる。
【００６２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６３】
本発明は、複数のイスを備える浴室に利用することができる。
【図面の簡単な説明】
【００６４】
【図１】実施形態にかかる浴室を示す図である。
【図２】実施形態にかかるイスを説明するための説明図である。
【図３】シャワーフックの使用態様を説明する図である。
【図４】実施形態にかかるイスを説明するための説明図である。
【図５】照明による照射範囲を説明するための説明図である。
【図６】フックの詳細を示す図である。
【図７】フックの軸部の他の収納例を示す図である。
【図８】２つのイスを配設した従来の浴室を説明するための説明図である。
【符号の説明】
【００６５】
１００  …浴室
１２０、１２２  …壁
１３０  …洗い場
１４０  …浴槽
２３２  …鏡
２３４  …カラン
２３６  …シャワー
２３８  …壁付けシャワーフック
２４０  …イス
２４０ｃ  …凹部
２４０ｄ  …開口部
２４２  …シャワーフック
２４４  …照明
２４６  …フック
２４８  …棚
【図１】
2010110456.tif 000003
【図２】
2010110456.tif 000004
【図３】
2010110456.tif 000005
【図４】
2010110456.tif 000006
【図５】
2010110456.tif 000007
【図６】
2010110456.tif 000008
【図７】
2010110456.tif 000009
【図８】
2010110456.tif 000010